(57)【特許請求の範囲】
【請求項１】
遊技機島の遊技機が並列する方向に送り出される紙幣搬送ベルトと、この紙幣搬送ベルトに対面した紙幣搬送ガイドとの間に挟まれた紙幣が搬送される紙幣搬送装置において、
前記紙幣搬送ベルトの断面における中心から外周上の任意の点までの距離が不均一であると共に前記紙幣と接触する接触部が平坦であり、かつ、前記紙幣搬送ベルトの形状が帯状ではない、
ことを特徴とする紙幣搬送装置。
【請求項２】
遊技機島の遊技機が並列する方向に送り出されてベルト支持ローラに対面した紙幣搬送ベルトと、この紙幣搬送ベルトに対面した紙幣搬送ローラとの間に挟まれた紙幣が搬送される紙幣搬送装置において、
前記紙幣搬送ベルトは、断面が多角形であり、かつ、前記紙幣と接触する接触部と異なる面であって回転する際の内周側である内周部が、前記ベルト支持ローラに支持可能な程度に平坦な幅である、
ことを特徴とする紙幣搬送装置。
【請求項３】
前記紙幣搬送ベルトの断面が四角形である、
ことを特徴とする請求項１または請求項２に記載された紙幣搬送装置。
【発明の詳細な説明】
【技術分野】
【０００１】
本発明は、遊技機において紙幣を搬送する際に用いられる紙幣搬送装置に関するものである。
【背景技術】
【０００２】
従来、紙幣搬送装置は、並列した複数の遊技機から構成された遊技機島に備えられ、遊技者が投入した紙幣を金庫に搬送するものである。この様な紙幣搬送装置の一般的な構成が下記特許文献１に記載されている。この紙幣搬送装置は、遊技機島が並列する方向に施設されて断面が円形である搬送ベルトと、この搬送ベルトと対面する搬送プーリとが備えられている。紙幣は搬送ベルトと搬送ローラとで挟まれ、搬送ベルトが遊技機島内を周回することで紙幣が搬送される。
【先行技術文献】
【特許文献】
【０００３】
【特許文献１】特開２００９−５６０６２号公報
【発明の概要】
【発明が解決しようとする課題】
【０００４】
しかし、断面が円形の搬送ベルト（以下、「円形搬送ベルト」と記す。）は、端部同士を溶着して無端に形成する際、ベルトの巻癖や捻じれが生じたまま端部同士が溶着される場合がある。図３に示されているとおり、このような円形搬送ベルト３０が取り付けられた紙幣搬送装置は、巻癖や捻じれによって円形搬送ベルト３０が長手方向を軸として、回転方向３１に自転する場合がある。この場合、円形搬送ベルト３０の自転に伴って紙幣１が鉛直方向３２にずれるため、フレームなどに紙幣１が詰まって搬送が滞る場合がある。
【０００５】
一方で、紙幣１に対する円形搬送ベルト３０の圧力を抑えることで、円形搬送ベルト３０の自転による紙幣１のずれを防ぐことが考えられる。しかし、この場合、特にヨレがある紙幣１に対する円形搬送ベルト３０の接触の度合いが弱く、紙幣１を支持することができず、紙幣１の搬送が滞る場合がある。
【０００６】
本発明は、上記の実情に鑑みて提案されたものである。すなわち、確実かつ円滑に紙幣を搬送することができる紙幣搬送装置の提供を目的とする。
【課題を解決するための手段】
【０００７】
上記目的を達成するために、本発明に係る紙幣搬送装置は、遊技機島の遊技機が並列する方向に送り出される紙幣搬送ベルトと、この紙幣搬送ベルトに対面した紙幣搬送ガイドとの間に挟まれた紙幣が搬送される紙幣搬送装置において、前記紙幣搬送ベルトの断面における中心から外周上の任意の点までの距離が不均一である、ことを特徴とする。
【０００８】
本発明に係る紙幣搬送装置は、前記紙幣と接触する前記紙幣搬送ベルトの接触部が平坦である、ことを特徴とする。
【０００９】
本発明に係る紙幣搬送装置は、前記紙幣搬送ベルトの内周部が平坦である、ことを特徴とする。
【００１０】
本発明に係る紙幣搬送装置は、前記紙幣搬送ベルトの断面が多角形である、ことを特徴とする。
【発明の効果】
【００１１】
本発明に係る紙幣搬送装置は上記した構成である。この構成により、紙幣搬送ベルトの端部の断面が不均一な形状となる。不均一な部分同士を揃えて向かい合わせることで、端部同士を溶着する際の向きが一義的となるため、溶着前の紙幣搬送ベルトに巻癖や捻じれが生じた場合であっても、巻癖や捻じれを正して端部同士を溶着することができる。このことにより、紙幣搬送ベルトが自転することなく遊技機島内を周回し、紙幣が真っ直ぐに搬送される。したがって、確実かつ円滑に紙幣を搬送することができる。
【００１２】
本発明に係る紙幣搬送装置は、紙幣と接触する紙幣搬送ベルトの接触部が平坦である。この構成により、紙幣搬送ベルトによる紙幣への接触面積が広いため、確実かつ円滑に紙幣を搬送することができる。
【００１３】
本発明に係る紙幣搬送装置は、紙幣搬送ベルトの内周部が平坦である。この構成により、遊技機島を周回する際に紙片搬送ベルトが内周部側から支持され、紙幣搬送ベルトが撓まずに周回する。したがって、確実かつ円滑に紙幣を搬送することができる。
【００１４】
本発明に係る紙幣搬送装置は、紙幣搬送ベルトの断面が多角形である。この構成により、紙幣搬送ベルトの巻癖や捻じれを正して端部同士を溶着することができる。このことにより、紙幣搬送ベルトが自転することなく遊技機島を周回し、紙幣が真っ直ぐに搬送される。また、紙幣搬送ベルトによる紙幣への接触面積が広く、かつ、遊技機島を周回する際に紙片搬送ベルトが内周部側から支持され、紙幣搬送ベルトが撓まずに周回する。したがって、確実かつ円滑に紙幣を搬送することができる。
【図面の簡単な説明】
【００１５】
【図１】本発明の実施形態に係る紙幣搬送装置の全体が示され、（ａ）が上方から視した平面図、（ｂ）が側方から視した側面図である。
【図２】本発明の実施形態に係る紙幣搬送装置のＡ−Ａ縦断面を示した断面図である。
【図３】従来の紙幣搬送装置を説明する説明図である。
【発明を実施するための形態】
【００１６】
以下に、本発明の実施形態に係る紙幣搬送装置を図面に基づいて説明する。図１は、本発明の実施形態に係る紙幣搬送装置１０の全体が示され、図２は、本発明の実施形態に係る紙幣搬送装置１０の断面が示されている。なお、以下の説明では、設置面に対する高さ方向を上方または下方とし、紙幣が搬送される方向を搬送方向とし、搬送方向と反対の方向を折返し方向とし、紙幣が挿入される方向を側方とする。
【００１７】
一般的に、遊技機島は、隣接して一列に並べられた複数の遊技機が背中合わせで配置されたことで構成されている。この遊技機の背面同士の間に、本実施形態に係る紙幣搬送装置１０が取り付けられている。
【００１８】
図１に示されているとおり、紙幣搬送装置１０は、遊技機島の遊技機（図示省略）が並列する方向に送り出される環状の紙幣搬送ベルト２０が、遊技機島の一方の端から他方の端に至って配置されている。紙幣搬送ベルト２０は、遊技機島の両端に配置された両プーリ２に巻き回されている。一方のプーリ２は、遊技機島の一方の端に設置された駆動部３が連結され、駆動部３が駆動することで稼働する。遊技機島の一方の端は、紙幣１（図２参照）が回収される金庫４が設置されている。紙幣搬送ベルト２０は、紙幣搬送ベルト２０に沿って設置された搬送ユニット１１によって支持され、紙幣１の挿入口である紙幣挿入部５が適当な間隔で設置されている。
【００１９】
図２に示されているとおり、搬送ユニット１１は、ほぼ長方形の箱型であり、側部フレーム１２と、上部フレーム１３および下部フレーム１４とから形成され、各フレーム１２，１３，１４に囲まれた内側に紙幣搬送路１５が形成されている。
【００２０】
側部フレーム１２は板状に形成されて対面し、それぞれほぼ中央にローラ軸受部１６が取り付けられている。ローラ軸受部１６は互いに対面し、それぞれ紙幣搬送ガイド１７が取り付けられている。紙幣搬送ガイド１７同士の間は、紙幣搬送ベルト２０が配置され、各紙幣搬送ガイド１７が紙幣搬送ベルト２０の側面に対面している。上下各フレーム１３，１４は、紙幣搬送路１５に向けて内側に向けて突出し、その先端にベルト支持ローラ１８が取り付けられている。紙幣搬送ガイド１７と同様に、ベルト支持ローラ１８の間は、紙幣搬送ベルト２０が配置され、各ベルト支持ローラ１８が紙幣搬送ベルト２０に対面している。
【００２１】
紙幣搬送ベルト２０は、紙幣１と接触する側面である接触部２１が平坦に形成されている。すなわち、断面がほぼ四角形に形成されている。紙幣搬送ベルト２０と紙幣搬送ガイド１７との間に紙幣１が挟まれて搬送されるため、紙幣搬送ベルト２０は接触部２１が平坦であればよい。したがって、紙幣搬送ベルト２０の断面は円形以外の形状であり、例えば、楕円形、多角形、かまぼこ型、扇形、などであってもよい。
【００２２】
紙幣搬送ベルト２０は、環状のうち、ベルト支持ローラ１８およびプーリ２に沿って回転する際の内周側である内周部２２が平坦に形成されている。紙幣搬送ベルト２０は無端であるため、ベルト支持ローラ１８に支持される際、およびプーリ２と接触して折り返す際、撓みが生じない程度の平坦な幅に内周部２２が形成されている。
【００２３】
紙幣搬送ベルト２０は、断面における中心から外周上の任意の定点までの距離（中心から任意の側面までの距離）が不均一であればよい。すなわち、断面の形状が円形以外の形状であり、上記した形状の他、側面の一部が陥没した形状などであってもよい。
【００２４】
紙幣搬送ベルト２０は、搬送方向と折返し方向とが上下に並列しており、プーリ２の軸方向が水平である。これに限られず、例えば、遊技機が湾曲しながら並列して構成された遊技機島であるアール島などにおいては、紙幣搬送ベルト２０は、搬送方向と折返し方向とが側方に並列していてもよい。この場合、プーリ２の軸方向は垂直である。
【００２５】
紙幣搬送ガイド１７、およびベルト支持ローラ１８は、表面が平坦に形成され、紙幣搬送ベルト２０の接触部２１、内周部２２、および外周側である外周部２３の形状に倣って、形状が適宜設計変更される。
【００２６】
上記のとおり、本実施形態に係る紙幣搬送装置１０が形成されている。
【００２７】
次に、本実施形態に係る紙幣搬送装置１０の効果を説明する。
【００２８】
上記したとおり、本実施形態に係る紙幣搬送装置１０は、紙幣搬送ベルト２０の断面がほぼ四角形に形成され、紙幣１と接触する側面である接触部２１が平坦に形成されている。この構成により、紙幣搬送ベルト２０の端部の断面のうち、四角形同士を揃えて向かい合わせることで、端部同士を溶着する際の向きが一義的となるため、溶着前の紙幣搬送ベルト２０に巻癖や捻じれが生じた場合であっても、巻癖や捻じれを正して端部同士を溶着することができる。このことにより、紙幣搬送ベルト２０が自転することなく遊技機島を周回し、紙幣１が真っ直ぐに搬送される。したがって、確実かつ円滑に紙幣を搬送することができる。なお、紙幣搬送ベルト２０は、上記したとおり、例えば、楕円形、多角形、かまぼこ型、扇形、側面の一部が陥没した形状などであっても同様の効果を生じさせることができる。
【００２９】
本実施形態に係る紙幣搬送装置１０は、紙幣搬送ベルト２０の断面が、ほぼ四角形であるため、接触部２１が平坦である。この構成により、紙幣搬送ベルト２０による紙幣１への接触面積が広いため、確実かつ円滑に紙幣を搬送することができる。なお、紙幣搬送ベルト２０は接触部２１が平坦であれば、上記したとおり、断面が、例えば、楕円形、多角形、かまぼこ型、扇形、などであっても同様の効果を生じさせることができる。
【００３０】
本実施形態に係る紙幣搬送装置１０は、紙幣搬送ベルト２０の断面が、ほぼ四角形であるため、環状のうち、ベルト支持ローラ１８およびプーリ２に沿って回転する際の内周部２２が平坦に形成されている。すなわち、紙幣搬送ベルト２０は無端であるため、ベルト支持ローラ１８に支持される際、およびプーリ２と接触して折り返す際、撓みが生じない程度の平坦な幅に内周部２２が形成されている。この構成により、遊技機島を周回する際に紙片搬送ベルト２０が内周部２２側から支持され、紙幣搬送ベルト２０が撓まずに回転する。したがって、確実かつ円滑に紙幣を搬送することができる。なお、紙幣搬送ベルト２０は内周部２２が平坦であれば、上記したとおり、断面が、例えば、楕円形、多角形、かまぼこ型、扇形、などであっても同様の効果を生じさせることができる。
【００３１】
本実施形態に係る紙幣搬送装置１０は、紙幣搬送ベルト２０の断面が、ほぼ四角形であるため、いずれの面も平坦である。この構成により、軸方向が水平であるプーリ２に紙幣搬送ベルト２０が巻き回され、搬送方向と折返し方向とが上下に並列する場合、または、例えば、遊技機が湾曲しながら並列して構成された遊技機島であるアール島などにおいて、軸方向が垂直であるプーリ２に紙幣搬送ベルト２０が巻き回され、搬送方向と折返し方向とが側方に並列する場合の、いずれにも対応することができる。
【００３２】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３３】
１                紙幣
２                プーリ
３                駆動部
４                金庫
５                紙幣挿入部
１０              紙幣搬送装置
１１              搬送ユニット
１２              側部フレーム
１３              上部フレーム
１４              下部フレーム
１５              紙幣搬送路
１６              ローラ軸受部
１７              紙幣搬送ガイド
１８              ベルト支持ローラ
２０              紙幣搬送ベルト
２１              接触部
２２              内周部
２３              外周部
３０              円形搬送ベルト
３１              自転方向
３２              鉛直方向
【図１】
0005896383.tif 000002
【図２】
0005896383.tif 000003
【図３】
0005896383.tif 000004